(57)【要約】【課題】かご床板上面を容易に清掃することができるエレベータのかご室を提供する。【解決手段】本発明によるエレベータのかご室は、かご床板２と、このかご床板２上にかご側板受け部材３を介して設けられたかご側板４を備えている。また、このかご側板受け部材４に揺動自在に、かご床板２上面に沿って移動する幅木６が取り付けられている。さらに、この幅木６に、かご床板２上面を清掃する清掃手段７が設けられている。【選択図】図２
2010042891.tif 000002
【特許請求の範囲】
【請求項１】
左側面と、右側面と、後側面と、前側面とからなる複数の側面を含むエレベータのかご室において、
かご床板と、
このかご床板上にかご側板受け部材を介して設けられるとともに、各側面を構成するかご側板と、
かご側板受け部材に揺動自在に取り付けられ、かご床板上面に沿って移動する幅木と、
この幅木に設けられ、かご床板上面を清掃する清掃手段と、を備えたことを特徴とするエレベータのかご室。
【請求項２】
かご側板受け部材に、かご側板受け部材に対して幅木を揺動自在に支持する揺動支持部が設けられていることを特徴とする請求項１に記載のエレベータのかご室。
【請求項３】
幅木は、各々がかご室側面に対応して設けられた複数の幅木部材からなり、
かご室の側面間において、各幅木部材の間に隙間が形成され、
各幅木部材間に、各幅木部材間に形成された隙間を覆う着脱自在な意匠部材が設けられることを特徴とする請求項１または２に記載のエレベータのかご室。
【請求項４】
幅木は、各々が、左側面、右側面、および後側面に対応して設けられた複数の幅木部材からなり、
左側面に対応する幅木部材は、左側面と前側面との間に位置する揺動軸を中心として揺動し、
右側面に対応する幅木部材は、右側面と前側面との間に位置する揺動軸を中心として揺動し、
後側面に対応する幅木部材は、後側面と右側面との間、または後側面と左側面との間に位置する揺動軸を中心として揺動することを特徴とする請求項１に記載のエレベータのかご室。
【請求項５】
左側面と、右側面と、後側面と、前側面とからなる複数の側面を含むエレベータのかご室において、
かご床板と、
このかご床板上にかご側板受け部材を介して設けられるとともに、各側面を構成するかご側板と、
かご側板受け部材の表面側に、その裏側に収納空間を形成するよう開閉自在に設けられた幅木と、
幅木裏側の収納空間に収納され、外周面に設けられた粘着層を含みかご床板上面を転動自在な清掃ローラと、この清掃ローラの両端に取り付けられた一対の腕とを有し、一側面からこの一側面に対向する他側面に向けてかご床板上面を移動する清掃手段と、
この清掃手段の清掃ローラの両端側に位置する対向する一対の側面に沿って設けられ、各腕を摺動自在に保持する一対のガイドレールと、を備えたことを特徴とするエレベータのかご室。
【請求項６】
左側面と、右側面と、後側面と、前側面とからなる複数の側面を含むエレベータのかご室において、
かご床板と、
このかご床板上にかご側板受け部材を介して設けられるとともに、各側面を構成するかご側板と、
かご側板受け部材の表面側に、その裏側に収納空間を形成するよう開閉自在に設けられた幅木と、
幅木裏側の収納空間に収納され、吸引自在または排気自在にかご床板上面を清掃するノズルと、
このノズルにホースを介して連結され、ノズルを吸引駆動または排気駆動する駆動部と、を備えたことを特徴とするエレベータのかご室。
【発明の詳細な説明】
【技術分野】
【０００１】
本発明は、左側面と、右側面と、後側面と、前側面とからなる複数の側面を含むエレベータのかご室に係り、とりわけ、かご室のかご床板上面を容易に清掃することができるエレベータのかご室に関する。
【背景技術】
【０００２】
従来より、図９に示すように、かご床板３２と、このかご床板３２上にかご側板受け部材３３を介して設けられたかご側板３４とを有するエレベータのかご室３１が知られている（例えば、特許文献１参照）。このかご側板受け部材３３の前面に、例えば両面テープを用いて、ステンレスまたは化粧鋼板からなる幅木３５が取り付けられている。
【特許文献１】特開２０００−２５５９４３号公報
【発明の開示】
【発明が解決しようとする課題】
【０００３】
しかしながら、一般的に、このかご室にかご室を清掃するための清掃道具が保管されることはなく、かご室以外の場所、例えば機械室または昇降路内に保管されることが多い。このことにより、かご室のかご床板上面を清掃する場合、機械室または昇降路内に清掃道具を取りに行く必要があり、手間がかかっていた。
【０００４】
本発明は、このような点を考慮してなされたものであり、かご床板上面を容易に清掃することができるエレベータのかご室を提供することを目的とする。
【課題を解決するための手段】
【０００５】
本発明は、左側面と、右側面と、後側面と、前側面とからなる複数の側面を含むエレベータのかご室において、かご床板と、このかご床板上にかご側板受け部材を介して設けられるとともに、各側面を構成するかご側板と、かご側板受け部材に揺動自在に取り付けられ、かご床板上面に沿って移動する幅木と、この幅木に設けられ、かご床板上面を清掃する清掃手段と、を備えたことを特徴とするエレベータのかご室である。
【０００６】
本発明は、かご側板受け部材に、かご側板受け部材に対して幅木を揺動自在に支持する揺動支持部が設けられていることを特徴とするエレベータのかご室である。
【０００７】
本発明は、幅木は、各々がかご室側面に対応して設けられた複数の幅木部材からなり、かご室の側面間において、各幅木部材の間に隙間が形成され、各幅木部材間に、各幅木部材間に形成された隙間を覆う着脱自在な意匠部材が設けられることを特徴とするエレベータのかご室である。
【０００８】
本発明は、幅木は、各々が、左側面、右側面、および後側面に対応して設けられた複数の幅木部材からなり、左側面に対応する幅木部材は、左側面と前側面との間に位置する揺動軸を中心として揺動し、右側面に対応する幅木部材は、右側面と前側面との間に位置する揺動軸を中心として揺動し、後側面に対応する幅木部材は、後側面と右側面との間、または後側面と左側面との間に位置する揺動軸を中心として揺動することを特徴とするエレベータのかご室である。
【０００９】
本発明は、左側面と、右側面と、後側面と、前側面とからなる複数の側面を含むエレベータのかご室において、かご床板と、このかご床板上にかご側板受け部材を介して設けられるとともに、各側面を構成するかご側板と、かご側板受け部材の表面側に、その裏側に収納空間を形成するよう開閉自在に設けられた幅木と、幅木裏側の収納空間に収納され、外周面に設けられた粘着層を含みかご床板上面を転動自在な清掃ローラと、この清掃ローラの両端に取り付けられた一対の腕とを有し、一側面からこの一側面に対向する他側面に向けてかご床板上面を移動する清掃手段と、この清掃手段の清掃ローラの両端側に位置する対向する一対の側面に沿って設けられ、各腕を摺動自在に保持する一対のガイドレールと、を備えたことを特徴とするエレベータのかご室である。
【００１０】
本発明は、左側面と、右側面と、後側面と、前側面とからなる複数の側面を含むエレベータのかご室において、かご床板と、このかご床板上にかご側板受け部材を介して設けられるとともに、各側面を構成するかご側板と、かご側板受け部材の表面側に、その裏側に収納空間を形成するよう開閉自在に設けられた幅木と、幅木裏側の収納空間に収納され、吸引自在または排気自在にかご床板上面を清掃するノズルと、このノズルにホースを介して連結され、ノズルを吸引駆動または排気駆動する駆動部と、を備えたことを特徴とするエレベータのかご室である。
【発明の効果】
【００１１】
本発明によれば、エレベータのかご室のかご床板とかご側板との間に介在されたかご側板受け部材に、揺動自在であってかご床板上面に沿って移動する幅木が取り付けられ、この幅木に、かご床板上面を清掃する清掃手段が設けられている。このことにより、幅木をかご床板上面に沿って移動させて、この幅木に設けられた清掃手段によってかご床板上面を清掃することができる。このため、かご室のかご床板上面を容易に清掃することができる。
【発明を実施するための最良の形態】
【００１２】
第１の実施の形態
以下、図面を参照して、本発明の実施の形態について説明する。ここで、図１乃至図５は、本発明の第１の実施の形態におけるエレベータのかご室を示す図である。このうち図１は、本発明の第１の実施の形態におけるエレベータのかご室の全体構成を示す斜視図であり、図２は、本発明の第１の実施の形態におけるエレベータのかご室の清掃手段の詳細を示す断面図である。また、図３は、本発明の第１の実施の形態におけるエレベータのかご室において、かご側板受け部材に設けられた蝶番を示す上面図であり、図４は、本発明の第１の実施の形態におけるエレベータのかご室において、各幅木部材間に設けられた意匠部材を示す斜視図である。さらに、図５（ａ）は、本発明の第１の実施の形態におけるエレベータのかご室において、後側幅木部材をかご床板上面に沿って移動させた状態を示す概略図であり、図５（ｂ）は、右側幅木部材をかご床板上面に沿って移動させた状態を示す概略図であり、図５（ｃ）は、左側幅木部材をかご床板上面に沿って移動させた状態を示す概略図である。
【００１３】
まず、図１によりエレベータのかご室１の全体構成について説明する。図１に示すように、左側面１ａと、右側面１ｂと、後側面１ｃと、前側面１ｄとからなる複数の側面を含むかご室１は、かご床板２と、このかご床板２上にかご側板受け部材３を介して設けられるとともに、各側面１ａ、１ｂ、１ｃ、１ｄを構成する複数のかご側板４と、前面１ｄに位置し、乗客が出入りする出入口ドア５とを備えている。
【００１４】
また、図２に示すように、かご側板受け部材３に、揺動自在に幅木６が取り付けられ、この幅木６は、かご床板２上面に沿って移動するようになっている。また、この幅木６は、図１および図３乃至図５に示すように、左側面１ａ、右側面１ｂ、および後側面１ｃに対応して設けられた複数の幅木部材６ａ、６ｂ、６ｃからなっている。すなわち、幅木６は、左側面１ａに対応して設けられた左側幅木部材６ａと、右側面に対応して設けられた右側幅木部材６ｂと、後側面１ｃに対応して設けられた後側幅木部材６ｃとからなっている。
【００１５】
このうち、かご室１の左側面１ａに対応する左側幅木部材６ａは、左側面１ａと前側面１ｄとの間に形成された角部に位置する揺動軸９ａを中心として揺動するようになっている。また、かご室１の右側面１ｂに対応する右側幅木部材６ｂは、右側面１ｂと前側面１ｄとの間に形成された角部に位置する揺動軸９ｂを中心として揺動するようになっている。さらに、かご室１の後側面１ｃに対応する後側幅木部材６ｃは、後側面１ｃと右側面１ｂとの間に形成された角部に位置する揺動軸９ｃを中心として揺動するようになっている。
【００１６】
また、左側幅木部材６ａ、右側幅木部材６ｂ、および後側幅木部材６ｃに、各幅木部材６ａ、６ｂ、６ｃをかご床板２上面に沿って移動させる際に使用する取っ手（図示せず）を着脱自在に取付可能な取付部（図示せず）が設けられている。さらに、左側幅木部材６ａ、右側幅木部材６ｂ、および後側幅木部材６ｃは、各々対応するかご側板受け部材３に対して保持手段（図示せず）により保持可能に構成されている。なお、各幅木部材６ａ、６ｂ、６ｃは、ステンレスまたは化粧鋼板からなっている。
【００１７】
また、図１に示すように、かご室１の前側面１ｄに対応するかご側板受け部材３に、ステンレスまたは化粧鋼板からなる前側幅木部材８が、例えば両面テープを用いて固定されている。
【００１８】
また、図２に示すように、幅木６の下部に、かご床板２上面を清掃する清掃手段７が設けられている。すなわち、幅木６の左側幅木部材６ａ、右側幅木部材６ｂ、および後側幅木部材６ｃの下部に、はけ（清掃手段）７がそれぞれ設けられている。
【００１９】
また、図３に示すように、後側面１ｃに位置するかご側板受け部材３に、このかご側板受け部材３に対して後側幅木部材６ｃを揺動自在に支持する蝶番（揺動支持部）９ｅが設けられている。すなわち、図３および図５（ａ）に示すように、この蝶番９ｅは、後側幅木部材９ｃの揺動中心となる揺動軸９ｃに対応して設けられている。また、図５（ｂ）に示すように、右側面１ｂに位置するかご側板受け部材３に、このかご側板受け部材３に対して右側幅木部材６ｂを揺動自在に支持する蝶番（図示せず）が設けられ、この蝶番は、右側幅木部材６ｂの揺動中心となる揺動軸９ｂに対応している。さらに、図５（ｃ）に示すように、左側面１ａに位置するかご側板受け部材３に、このかご側板受け部材３に対して左側幅木部材６ａを揺動自在に支持する蝶番（図示せず）が設けられ、この蝶番は、左側幅木部材６ａの揺動中心となる揺動軸９ａに対応している。
【００２０】
図３および図５（ａ）に示すように、また、かご室１の後側面１ｃと右側面１ｂとの間に形成された角部であって、後側幅木部材６ｃと右側幅木部材６ｂとの間に、後側幅木部材６ｃが対応するかご側板受け部材３に対して所定の角度開くための隙間１０が形成されている。なお、この角度は、かご室１の形状などにより決められる。
【００２１】
また、図３および図４に示すように、後側幅木部材６ｃと右側幅木部材６ｂとの間に、この隙間を覆う着脱自在なコーナーカバー１１が設けられている。このコーナーカバー１１は、断面がＬ字状に形成されたステンレスまたは化粧鋼板からなり、後側幅木部材６ｃおよび右側幅木部材６ｂにマジックテープ（登録商標）（図示せず）を介して着脱自在に取り付けられている。このようにコーナーカバー１１を設けることにより、後側幅木部材６ｃと右側幅木部材６ｂとの間に形成された隙間１０を覆うことができ、かご室１の意匠性を向上させることができる。
【００２２】
同様にして、図示しないが、かご室１の右側面１ｂと前側面１ｄとの間に形成された角部であって、右側幅木部材６ｂと前側幅木部材８との間に、右側幅木部材６ｂが対応するかご側板受け部材３に対して所定の角度開くための隙間が形成されている。なお、この角度は、かご室１の形状などにより決められる。
【００２３】
また、右側幅木部材６ｂと前側幅木部材８との間に、この隙間を覆う着脱自在なコーナーカバー（図示せず）が設けられている。このコーナーカバーは、右側幅木部材６ｂおよび前側幅木部材８にマジックテープ（図示せず）を介して着脱自在に取り付けられている。
【００２４】
また、図示しないが、かご室１の左側面１ａと前側面１ｄとの間に形成された角部であって、左側幅木部材６ａと前側幅木部材８との間に、左側幅木部材６ａが対応するかご側板受け部材３に対して所定の角度開くための隙間が形成されている。なお、この角度は、かご室１の形状などにより決められる。
【００２５】
また、左側幅木部材６ａと前側幅木部材８との間に、この隙間を覆う着脱自在なコーナーカバー（図示せず）が設けられている。このコーナーカバーは、左側幅木部材６ａおよび前側幅木部材８にマジックテープ（図示せず）を介して着脱自在に取り付けられている。
【００２６】
さらに、図示しないが、かご室１の後側面１ｃと左側面１ｄとの間に形成された角部であって、後側幅木部材６ｃと左側幅木部材６ａとの間に、隙間が形成されている。この隙間は、後側幅木部材６ｃと左側幅木部材６ａが、清掃時に互いに干渉することを防止するために形成されている。
【００２７】
また、後側幅木部材６ｃと左側幅木部材６ａとの間に、この隙間を覆う着脱自在なコーナーカバー（図示せず）が設けられている。このコーナーカバーは、後側幅木部材６ｃおよび左側幅木部材６ａにマジックテープ（図示せず）を介して着脱自在に取り付けられている。
【００２８】
次に、このような構成からなる本実施の形態の作用について説明する。
【００２９】
エレベータのかご室１のかご床板２上面を清掃する場合、まず、図３および図４に示すように、後側幅木部材６ｃと右側幅木部材６ｂとの間にマジックテープ（図示せず）を介して取り付けられたコーナーカバー１１が取り外される。同様にして、右側幅木部材６ｂと前側幅木部材８との間に取り付けられたコーナーカバーと、左側幅木部材６ａと前側幅木部材８との間に取り付けられたコーナーカバーと、後側幅木部材６ｃと左側幅木部材６ａとの間に取り付けられたコーナーカバーが取り外される。
【００３０】
次に、幅木６の後側幅木部材６ｃに設けられた取付部（図示せず）に取っ手（図示せず）が取り付けられる。次に、この後側幅木部材６ｃに対応するかご側板受け部材３に保持手段（図示せず）により保持されていた後側幅木部材６ｃが、このかご側板受け部材３から外される。次に、作業者が取っ手を把持して、図５（ａ）に示すように、後側幅木部材６ｃの揺動軸９ｃを中心にして、かご側板受け部材３に対して所定角度開くまで、後側幅木部材６ｃをかご床板２上面に沿って移動させる。このことにより、後側幅木部材６ｃの下部に取り付けられたはけ７により、かご床板２上面のうち、後側幅木部材６ｃが移動した範囲にあったちりまたは埃などが、右側幅木部材６ｂの近傍からかご室１の前側面１ｄ側に渡る領域に集められる。次に、後側幅木部材６ｃが対応するかご側板受け部材３に戻され、後側幅木部材６ｃが保持手段により保持され、取っ手が取り外される。
【００３１】
次に、幅木６の右側幅木部材６ｂに設けられた取付部に取っ手が取り付けられ、この右側幅木部材６ｂに対応するかご側板受け部材３に保持手段（図示せず）により保持されていた右側幅木部材６ｂが、このかご側板受け部材３ｂから外される。次に、作業者がこの取っ手を把持して、図５（ｂ）に示すように、右側幅木部材６ｂの揺動軸９ｂを中心にしてかご側板受け部材３に対して所定角度開くまで、右側幅木部材６ｂをかご床板２上面に沿って移動させる。このことにより、右側幅木部材６ｂの下部に取り付けられたはけ７により、上述した後側幅木部材６ｃにより集められたちりまたは埃などの一部とともに、かご床板２上面のうち右側幅木部材６ｂが移動した範囲にあったちりまたは埃などが、かご室１の前側面１ｄ側に集められる。次に、右側幅木部材６ｂが対応するかご側板受け部材３に戻され、右側幅木部材６ｂが保持手段により保持され、取っ手が取り外される。
【００３２】
次に、幅木６の左側幅木部材６ａに設けられた取付部に取っ手が取り付けられ、この左側幅木部材６ａに対応するかご側板受け部材３に保持手段（図示せず）により保持されていた左側幅木部材６ａが、このかご側板受け部材３から外される。次に、作業者がこの取っ手を把持して、図５（ｃ）に示すように、左側幅木部材６ａの揺動軸９ａを中心にして、かご側板受け部材３に対して所定角度開くまで、左側幅木部材６ａをかご床板２上面に沿って移動させる。このことにより、左側幅木部材６ａの下部に取り付けられたはけ７により、上述した右側幅木部材６ｂにより集められたちりまたは埃などの一部とともに、かご床板２上面のうち左側幅木部材６ａが移動した範囲にあったちりまたは埃などが、かご室１の前側面１ｄ側に集められる。次に、左側幅木部材６ａが対応するかご側板受け部材３に戻され、左側幅木部材６ａが保持手段により保持され、取っ手が取り外される。
【００３３】
次に、図３および図４に示すように、後側幅木部材６ｃと右側幅木部材６ｂとの間にマジックテープを介してコーナーカバー１１が取り付けられる。同様にして、右側幅木部材６ｂと前側幅木部材８との間、左側幅木部材６ａと前側幅木部材８との間、および後側幅木部材６ｃと左側幅木部材６ａとの間にコーナーカバーが取り付けられる。
【００３４】
このように本実施の形態によれば、かご室１の左側面１ａに対応する左側幅木部材６ａは、左側面１ａと前側面１ｄとの間に形成された角部に位置する揺動軸９ａを中心として揺動し、右側面１ｂに対応する右側幅木部材６ｂは、右側面１ｂと前側面１ｄとの間に形成された角部に位置する揺動軸９ｂを中心として揺動し、後側面１ｃに対応する後側幅木部材６ｃは、後側面１ｃと右側面１ｂとの間に形成された角部に位置する揺動軸９ｃを中心として揺動する。このことにより、右側幅木部材６ｂおよび左側幅木部材６ａを、かご床板２上面のうち後側面１ｃから前側面１ａ側に向けて、各々の揺動軸９ｂ、９ａを中心としてかご床板２上面に沿って移動させることができる。このため、まず、後側幅木部材６ｃを移動させて、その後右側幅木部材６ｂおよび左側幅木部材６ａを順次移動させることにより、かご室１のかご床板２上面に存在していたちりまたは埃などを、各幅木部材６ａ、６ｂ、６ｃの下部に取り付けられたはけ７によりかご室１の前側面１ｄ側に集めることができる。このため、かご室１のかご床板２上面を容易かつ確実に清掃することができる。
【００３５】
また本実施の形態によれば、上述したように、左側幅木部材６ａ、右側幅木部材６ｂ、後側幅木部材６ｃの各々の揺動軸９ａ、９ｂ、９ｃ、すなわち各揺動軸９ａ、９ｂ、９ｃに対応する蝶番は、かご室１の各側面１ａ、１ｂ、１ｃ、１ｄにより形成される各角部のうち同一の角部に互いに配置されることがない。このため、後側幅木部材６ｃと右側幅木部材６ｂとの間、右側幅木部材６ｂと前側幅木部材８との間、および左側幅木部材６ａと前側幅木部材８との間に形成される隙間を小さくすることができる。
【００３６】
なお、本実施の形態においては、まず、後側幅木部材６ｃをかご床板２上面に沿って移動させ、次に、右側幅木部材６ｂをかご床板２上面に沿って移動させ、その後、左側幅木部材６ａをかご床板２上面に沿って移動させている例について説明した。しかしながらこのことに限られることはなく、まず、後側幅木部材６ｃをかご床板２上面に沿って移動させ、次に、左側幅木部材６ａをかご床板２上面に沿って移動させ、その後、右側幅木部材６ｂをかご床板２上面に沿って移動させても良い。この場合においても、かご室１のかご床板２上面に存在していたちりまたは埃などを、かご室１の前方に集めることができる。
【００３７】
また、本実施の形態においては、後側幅木部材６ｃの揺動軸９ｃが、後側面１ｃと右側面１ｂとの間に形成された角部に位置する例について説明した。しかしながらこのことに限られることはなく、後側幅木部材６ｃの揺動軸は、後側面１ｃと左側面１ａとの間に形成された角部に位置させるようにしても良い。
【００３８】
第２の実施の形態
次に、図６（ａ）、（ｂ）により、本発明の第２の実施の形態におけるエレベータのかご室について説明する。ここで図６は、本発明の第２の実施の形態におけるエレベータのかご室において、幅木を省略して、清掃手段の一方の端部における取付構造の詳細を示す正面図であり、図７（ａ）は、本発明の第２の実施の形態におけるエレベータのかご室において、清掃手段が収納された状態を示す図６のＡ−Ａ線断面図であり、図７（ｂ）は、清掃手段が引き出された状態を示す図６のＡ−Ａ線断面図である。
【００３９】
図６および図７（ａ）、（ｂ）に示す第２の実施の形態において、エレベータのかご室は、清掃手段が外周面に設けられた粘着層を含む清掃ローラを有している点が主に異なり、他の構成は、図１乃至図５に示す第１の実施の形態と略同一である。なお、図６および図７（ａ）、（ｂ）において、図１乃至図５に示す第１の実施の形態と同一部分には同一符号を付して詳細な説明は省略する。
【００４０】
図６および図７（ａ）、（ｂ）に示すように、エレベータのかご室１において、かご室１の後側面１ｃに対応するかご側板受け部材３の表面側に、その裏側に収納空間１２を形成するよう開閉自在な幅木１３が設けられている。すなわち、この幅木１３は、ステンレスまたは化粧鋼板からなり、かご側板受け部材３の表面側であってこのかご側板受け部材３に対応するかご側板４の底面に、上方に開くことができるように開閉自在に取り付けられている。また、幅木１３は、幅木１３を上方に開けた場合に、対応するかご側板４の下部に対して保持手段（図示せず）により保持可能に構成されている。
【００４１】
また、図６および図７（ａ）、（ｂ）に示すように、幅木１３裏側の収納空間１２に、外周面に設けられた粘着層１５ａを含み、かご床板２上面を転動自在な清掃ローラ１５と、この清掃ローラ１５の両端に取り付けられた一対の腕１６とを有する清掃手段１４が収納されていている。この清掃手段１４は、清掃時、かご室１の一側面（後側面１ｃ）からこの一側面に対向する他側面（前側面１ｄ）に向けてかご床板２上面を移動し、収納時、図７（ａ）に示すように、幅木１３とかご側板受け部材３との間に収納されている。また、各腕１６のうち清掃ローラ１５側の端部とは反対側の端部に滑車１７がそれぞれ設けられている。また、清掃手段１４の清掃ローラ１５の両端側に位置する対向する一対の側面、すなわち左側面１ａおよび右側面１ｂに沿って、滑車１７を介して各腕１６を摺動自在に保持するガイドレール１８が各々設けられている。各ガイドレール１８は、左側面１ａに対応するかご側板４および右側面１ｂに対応するかご側板４の下部に、左側面１ａおよび右側面１ｂの略全幅に渡って設けられている。
【００４２】
また、各腕１６の間であって清掃ローラ１５の上方に連結部材１９が連結され、この連結部材１９に、清掃ローラ１５をかご床板２上面を転動させる際に使用する取っ手（図示せず）を着脱自在に取付可能な取付部（図示せず）が設けられている。
【００４３】
図６および図７（ａ）、（ｂ）に示すエレベータのかご室１において、かご室１のかご床板２上面を清掃する場合、まず、図７（ｂ）に示すように、かご室１の後側面１ｃに対応するかご側板４の底面に取り付けられた幅木１３が上方に開けられ、保持手段（図示せず）により保持される。
【００４４】
次に、連結部材１９に設けられた取付部（図示せず）に取っ手（図示せず）が取り付けられる。次に、作業者がこの取っ手を把持して清掃手段１４が引き出され、後側面１ｃから前側面１ｄに向けてかご室１のかご床板２上面を移動させる。この間、各腕１６が、滑車１７を介して左側面１ａおよび右側面１ｂの略全範囲に渡って設けられたガイドレール１８に対して摺動する。このことにより、清掃ローラ１５を転動させながら、清掃手段１４を、かご床板２上面の略全範囲に渡ってスムースに移動させることができる。この際、清掃ローラ１５の外周面に設けられた粘着層１５ａに、かご床板２上面の略全範囲にあったちりまたは埃などが粘着される。
【００４５】
次に、清掃手段１４が収納空間１２に戻されて収納され、取っ手が取り外される。その後、幅木１３が保持手段から外されて閉じられる（図７（ａ）参照）。このようにして、かご床板２上面を清掃することができる。
【００４６】
このように本実施の形態によれば、収納空間１２から清掃手段１４を引き出して、清掃ローラ１５を転動させながら、清掃手段１４を後側面１ｃから前側面１ｄに向けてかご床板２上面を移動させる。このことにより、かご床板２上面にあったちりまたは埃などが清掃ローラ１５の粘着層１５ａに粘着されて、かご床板２上面を清掃することができる。このため、かご室１のかご床板２上面を容易に清掃することができる。
【００４７】
また、本実施の形態によれば、かご室１の後側面１ｃに対応するかご側板受け部材３の表面側であって、これに対応するかご側板４の底面に、その裏側に収納空間１２を形成するよう開閉自在な幅木１３が設けられている。このことにより、通常運転時には幅木１３を閉じて、かご室１内の意匠性を向上させることができるとともに、清掃時には、幅木１３を上方に開けて、幅木１３裏側の収納空間１２に収納された清掃手段１４を容易に引き出すことができる。
【００４８】
第３の実施の形態
次に、図８（ａ）、（ｂ）により、本発明の第３の実施の形態におけるエレベータのかご室について説明する。ここで図８（ａ）は、本発明の第３の実施の形態におけるエレベータのかご室において、ノズルが収納された状態を示す断面図であり、図８（ｂ）は、ノズルが引き出された状態を示す断面図である。
【００４９】
図８（ａ）、（ｂ）に示す第３の実施の形態において、エレベータのかご室は、かご床板上面を清掃するノズルとこのノズルを駆動する駆動部とを有している点が主に異なり、他の構成は、図１乃至図５に示す第１の実施の形態と略同一である。なお、図８（ａ）、（ｂ）において、図１乃至図５に示す第１の実施の形態と同一部分には同一符号を付して詳細な説明は省略する。
【００５０】
図８（ａ）、（ｂ）に示すように、エレベータのかご室１において、かご室１の後側面１ｃに対応するかご側板受け部材３の表面側に、その裏側に収納空間１２を形成するよう開閉自在な幅木１３が設けられている。すなわち、この幅木１３は、ステンレスまたは化粧鋼板からなり、かご側板受け部材３の表面側であってこのかご側板受け部材３に対応するかご側板４の底面に、上方に開くことができるように開閉自在に取り付けられている。また、幅木１３は、幅木１３を上方に開けた場合に、対応するかご側板４の下部に対して保持手段（図示せず）により保持可能に構成されている。
【００５１】
また、図８（ａ）、（ｂ）に示すように、幅木１３裏側の収納空間１２であって、後側面１ｃに対応するかご側板受け部材３の裏側に、吸引自在にかご床板２上面を清掃する吸引ノズル（ノズル）２０が収納されている。なお、このかご側板受け部材３に、吸引ノズル２０を引き出すための開口部３ａが形成されている。また、このかご側板受け部材３の裏側に、収納空間１２に吸引ノズル２０が収納されている場合に、この吸引ノズル２０を固定する固定手段（図示せず）が設けられている。
【００５２】
また、図８（ａ）、（ｂ）に示すように、吸引ノズル２０にホース２１を介して吸引モータ（駆動部）２２が連結され、この吸引モータ２２は、吸引ノズル２０を吸引駆動するようになっている。また、ホース２１は、図示しない巻取機構により巻き取られるようになっている。さらに、吸引モータ２２に、吸引ノズル２０を介して吸引されたちりや埃などを貯蔵するタンク２３が連結されている。
【００５３】
図８（ａ）、（ｂ）に示すエレベータのかご室１において、かご室１のかご床板２上面を清掃する場合、まず、図８（ｂ）に示すように、後側面１ｃに対応するかご側板４の底面に取り付けられた幅木１３が上方に開けられ、保持手段（図示せず）により保持される。
【００５４】
次に、作業者が吸引ノズル１２を把持して、吸引ノズル２０が、収納空間１２からかご側板受け部材３に形成された開口部３ａを通って引き出される。次に、吸引モータ２２により、吸引ノズル２０を吸引駆動して吸引力を発生させ、この吸引力が発生した吸引ノズル２０をかご床板２上面の全面に渡って移動させる。この間、かご床板２上面にあったちりや埃などが吸引ノズル２０から吸引されて、ホース２１および吸引モータ２２を通って、タンク２３に貯蔵される。
【００５５】
その後、吸引ノズル２０が収納空間１２であって、かご側板受け部材３の裏側に開口部３ａを通って収納され、固定手段（図示せず）により固定される。この際、引き出されていたホース２１は、巻取機構（図示せず）により巻き取られる。その後、幅木１３が保持手段から外されて閉じられる（図８（ａ）参照）。
【００５６】
このように本実施の形態によれば、収納空間１２から吸引ノズル２０が引き出されて、吸引モータ２２により吸引ノズル２０を吸引駆動して吸引力を発生させ、かご床板２上面を移動させる。このことにより、かご床板２上面にあったちりや埃などが吸引ノズル２０に吸引されて、かご床板２上面を清掃することができる。このため、かご室１のかご床板２上面を容易に清掃することができる。
【００５７】
また、本実施の形態によれば、後側面１ｃに対応するかご側板受け部材３の表面側に、その裏側に収納空間１２を形成するよう開閉自在な幅木１３が設けられている。このことにより、通常運転時には幅木１３を閉じて、かご室１内の意匠性を向上させることができるとともに、清掃時には、幅木１３を上方に開けて、幅木１３裏側の収納空間１２に収納された吸引ノズル２０を容易に引き出すことができる。
【００５８】
なお、本実施の形態においては、吸引ノズル２０は後側面１ｃに対応して設けられた幅木１３の裏側に収納されている例について説明した。しかしながら、このことに限られることはなく、右側面１ｂにまたは左側面１ａに対応して幅木１３を設けて、吸引ノズル２０はこの幅木１３の裏側に収納されていても良い。
【００５９】
また、本実施の形態においては、ノズルが吸引自在な吸引ノズル２０からなるとともに、駆動部がこの吸引ノズル２０を吸引駆動する吸引モータ２２からなっている例について説明した。しかしながらこのことに限られることはなく、ノズルが排気自在な排気ノズルからなるとともに、駆動部がこの排気ノズルを排気駆動する排気モータからなっていても良い。この場合、排気ノズルから空気が吹き出されてかご床板２上面にあったちりや埃などを吹き飛ばすようにして集めて、かご床板２上面を清掃することができる。
【図面の簡単な説明】
【００６０】
【図１】図１は、本発明の第１の実施の形態におけるエレベータのかご室の全体構成を示す斜視図。
【図２】図２は、本発明の第１の実施の形態におけるエレベータのかご室の清掃手段の詳細を示す断面図。
【図３】図３は、本発明の第１の実施の形態におけるエレベータのかご室において、かご側板受け部材に設けられた蝶番を示す上面図。
【図４】図４は、本発明の第１の実施の形態におけるエレベータのかご室において、各幅木部材間に設けられた意匠部材を示す斜視図。
【図５】図５（ａ）は、本発明の第１の実施の形態におけるエレベータのかご室において、後側幅木部材をかご床板上面に沿って移動させた状態を示す概略図。図５（ｂ）は、右側幅木部材をかご床板上面に沿って移動させた状態を示す概略図。図５（ｃ）は、左側幅木部材をかご床板上面に沿って移動させた状態を示す概略図。
【図６】図６は、本発明の第２の実施の形態におけるエレベータのかご室において、幅木を省略して、清掃手段の一方の端部における取付構造の詳細を示す正面図。
【図７】図７（ａ）は、本発明の第２の実施の形態におけるエレベータのかご室において、清掃手段が収納された状態を示す図６のＡ−Ａ線断面図。図７（ｂ）は、清掃手段が引き出された状態を示す図６のＡ−Ａ線断面図。
【図８】図８（ａ）は、本発明の第３の実施の形態におけるエレベータのかご室において、ノズルが収納された状態を示す断面図。図８（ｂ）は、ノズルが引き出された状態を示す断面図。
【図９】従来のエレベータのかご室の幅木取付部の詳細を示す断面図。
【符号の説明】
【００６１】
１      かご室
１ａ    左側面
１ｂ    右側面
１ｃ    後側面
１ｄ    前側面
２      かご床板
３      かご側板受け部材
３ａ    開口部
４      かご側板
５      出入口ドア
６      幅木
６ａ    左側幅木部材
６ｂ    右側幅木部材
６ｃ    後側幅木部材
７      清掃手段
８      前側幅木部材
９ａ    揺動軸
９ｂ    揺動軸
９ｃ    揺動軸
９ｅ    蝶番
１０    隙間
１１    コーナーカバー
１２    収納空間
１３    幅木
１４    清掃手段
１５    清掃ローラ
１５ａ  粘着層
１６    腕
１７    滑車
１８    ガイドレール
１９    連結部材
２０    吸引ノズル
２１    ホース
２２    吸引モータ
２３    タンク
３１    かご室
３２    かご床板
３３    かご側板受け部材
３４    かご側板
３５    幅木
【図１】
2010042891.tif 000003
【図２】
2010042891.tif 000004
【図３】
2010042891.tif 000005
【図４】
2010042891.tif 000006
【図５】
2010042891.tif 000007
【図６】
2010042891.tif 000008
【図７】
2010042891.tif 000009
【図８】
2010042891.tif 000010
【図９】
2010042891.tif 000011